(57)【要約】【課題】  従来の遊技球払出機構では、主基板において払い出された賞球数を認識出来ないため、払い出された賞球数に異常がある場合、これを主基板で検出できない。【解決手段】  第１の払出装置５，第２の払出装置７，第１の払出センサ６，及び第２の払出センサ８により、遊技球の払い出し及び検知を貸球と賞球とに分離して行う。賞球基板２は、第１の払出センサ６，第２の払出センサ８からの貸球払出検知信号ｐａ１，賞球払出検知信号ｐａ２により、所定数の貸球及び賞球が払い出されたことを認識すると、第１の払出装置５，第２の払出装置７を停止させ、払出処理を完了する。主基板４は、賞球払出検知信号ｐａ２により払い出された賞球数を認識し、賞球指示信号ｐｒと比較することにより、賞球の払い出しに関して適正な払い出しが行われたかを認識できる。【選択図】  図４
2006122720.tif 000002
【特許請求の範囲】
【請求項１】
賞球基板を介する球貸機からの貸球払出命令に応じて遊技球の払い出しを行う第１の払出装置と、この第１の払出装置より払い出される遊技球を検知し，この検知信号を前記賞球基板へ出力する第１の払出センサとを備えて構成される遊技球払出機構において、
前記賞球基板を介する主基板からの賞球払出命令に応じて払い出される賞球を前記主基板またはホールコンピュータに検知させる賞球払出検知手段を備えたことを特徴とする遊技球払出機構。
【請求項２】
前記主基板は前記賞球払出命令の内容を前記ホールコンピュータに出力することを特徴とする請求項１に記載の遊技球払出機構。
【請求項３】
前記賞球払出検知手段は、前記賞球を前記賞球基板にも検知させることを特徴とする請求項１に記載の遊技球払出機構。
【請求項４】
前記賞球払出検知手段は、前記賞球払出命令に応じて賞球の払い出しを行う第２の払出装置と、この第２の払出装置より払い出される賞球を検知し，この賞球検知信号を前記主基板または前記ホールコンピュータへ出力する第２の払出センサとから構成されることを特徴とする請求項１から請求項３のいずれか１項に記載の遊技球払出機構。
【請求項５】
前記賞球払出検知手段は、前記賞球払出命令に応じて前記第１の払出装置から払い出される賞球の通路を第２の通路に切り換える通路切換装置と、この第２の通路を通って払い出される賞球を検知し，この検知信号を前記主基板または前記ホールコンピュータへ出力する第２の払出センサとから構成されることを特徴とする請求項１から請求項３のいずれか１項に記載の遊技球払出機構。
【請求項６】
前記賞球払出検知手段は、前記賞球払出命令に応じて賞球の払い出しを行う第２の払出装置と、前記第１の払出装置およびこの第２の払出装置の両者より払い出される遊技球を検知し，この検知信号を出力する第３の払出センサと、前記第１の払出センサおよびこの第３の払出センサが出力した各検知信号の差分から前記賞球の数を算出する算出手段とから構成されることを特徴とする請求項１から請求項３のいずれか１項に記載の遊技球払出機構。
【請求項７】
前記算出手段は、前記主基板内または前記ホールコンピュータ内に形成されていることを特徴とする請求項６に記載の遊技球払出機構。
【請求項８】
前記球貸機は、遊技者がプリペイドカードを挿入し、所定の操作を行うことで前記貸球払出命令を出力するカードユニットであることを特徴とする請求項１から請求項７のいずれか１項に記載の遊技球払出機構。
【発明の詳細な説明】
【技術分野】
【０００１】
本発明は、遊技球を遊技者に貸し出し、かつ賞球を遊技者に払い出す遊技球払出機構に関するものである。
【背景技術】
【０００２】
従来、この種の遊技球払出機構としては、例えば、図１に概略が示される、ＣＲ（カードリーダ）式パチンコ機に適用された遊技球払出機構がある。
【０００３】
カードユニット１は、プリペイドカードが挿入されて球貸要求を受けると、球貸指示信号ｌｅを賞球基板２へ出力し、また、売り上げ情報信号Ｐをホールコンピュータ３へ出力する。主基板４は、パチンコ機に入賞があると賞球払出指示を示す賞球指示信号ｐｒを賞球基板２へ出力する。賞球基板２は、カードユニット１より球貸指示信号ｌｅを入力すると、あるいは主基板４より賞球指示信号ｐｒを入力すると払出装置５を駆動する。駆動された払出装置５は、払出球タンク１６に貯留された所定個数のパチンコ球を払出球通路１２に払い出す。この払い出しにより、パチンコ機の上皿２５または下皿２６にパチンコ球が導かれる。なお、球抜装置１５は払出球タンク１６内のパチンコ球を球通路１４を介してパチンコ島内部に排出させるものである。払出センサ６は、払出球通路１２を通過するパチンコ球を検知し、この払出検知信号ｐａを賞球基板２へ出力する。賞球基板２は、入力した払出検知信号ｐａに基づいて得られる払出球数を払出信号ｐｙとしてホールコンピュータ３へ出力する。
【０００４】
このような従来の遊技球払出機構では、賞球基板２は、入力した払出検知信号ｐａにより、球貸指示信号ｌｅまたは賞球指示信号ｐｒの内容通りにパチンコ球の払い出しが行われたことを認識すると、払出装置５を停止させて払出処理を完了する。従って、賞球基板２では、賞球指示信号ｐｒまたは球貸指示信号ｌｅと払出検知信号ｐａとを比較することで、例えば払出指示内容とは異なる遊技球数が払い出されている場合に賞球または貸球の払い出しに関する異常が発生したことを認識できる。また、ホールコンピュータ３においては、売り上げ情報信号Ｐから換算した貸球数と、賞球基板２から入力した払出信号ｐｙとを比較することで貸球の適正な払い出しが行われているかを認識できる。
【発明の開示】
【発明が解決しようとする課題】
【０００５】
しかしながら、上記従来の遊技球払出機構においては、球貸指示信号ｌｅによる貸球の払い出しと、賞球指示信号ｐｒによる賞球の払い出しとはいずれも払出装置５によって行われている。このため、賞球指示信号ｐｒ及び払出検知信号ｐａを入力し、実際に払出装置５を制御している賞球基板２では、賞球指示信号ｐｒに対応した賞球が実際に払い出されたか否かを認識できるが、主基板４ではこれを認識できない。よって、上記従来の遊技球払出機構においては、賞球系統の装置について故障や不正行為が発生した場合、これを主基板４で検出することは出来なかった。
【０００６】
また、ホールコンピュータ３においては貸球の払い出しに関しては認識できるが、賞球の払い出しに関しては認識できない。よって、上記従来の遊技球払出機構においては、ホールコンピュータ３で、賞球の払出数の管理を行うことが出来ず、また、賞球系統の装置について故障や不正行為が発生したことを検出することが出来なかった。
【０００７】
また、上記従来の遊技球払出機構においては、払出装置５より払い出されるパチンコ球の検知は、払出センサ６によってのみ行われている。従って、賞球指示信号ｐｒにより賞球の払い出しが行われる際、賞球指示信号ｐｒの通信系統に故障や不正行為といった何らかの異常が発生して賞球の払い出しが行われなくても、賞球指示信号ｐｒが出力された直後に球貸指示信号ｌｅが出力されると貸球が払い出されて払出センサ６に検知される。この場合、賞球基板２では、入力する払出検知信号ｐａは賞球を検知したものなのか貸球を検知したものなのか区別できない。この結果、入力した払出検知信号ｐａは賞球を検知したものだと賞球基板２が判断してしまえば、賞球指示信号ｐｒの通信系統に何らかの異常が発生したことは検出できない。逆に、球貸指示信号ｌｅの通信系統に異常が発生したため、球貸指示通りの貸球が払い出されていないと判断してしまう可能性がある。
【０００８】
また、上記従来の遊技球払出機構においては、賞球指示信号ｐｒが出力されていないのにパチンコ球が払い出されたことを払出センサ６が検知したことをもって、異常が発生したものと判断することは出来ない。球貸指示信号ｌｅが出力されて払い出されたパチンコ球を払出センサ６が検知した場合もあるからである。
【課題を解決するための手段】
【０００９】
本発明は、このような課題を解決するためになされたもので、賞球基板を介する球貸機からの貸球払出命令に応じて遊技球の払い出しを行う第１の払出装置と、この第１の払出装置より払い出される遊技球を検知し，この検知信号を賞球基板へ出力する第１の払出センサとを備えて構成される遊技球払出機構において、賞球基板を介する主基板からの賞球払出命令に応じて払い出される賞球を主基板またはホールコンピュータに検知させる賞球払出検知手段を備えたことを特徴とする。
【００１０】
このような構成においては、主基板またはホールコンピュータは、賞球払出命令に応じて実際に払い出される賞球を賞球払出検知手段により検知する。このため、主基板は賞球払出命令と実際に払い出される賞球とを比較することにより、賞球系統の装置について発生する異常を検出することが出来る。また、ホールコンピュータは検知した賞球の管理を行える。
【００１１】
また、本発明は、上記構成において、主基板が賞球払出命令の内容をホールコンピュータに出力することを特徴とする。
【００１２】
このような構成においては、ホールコンピュータは、賞球払出命令の内容と実際に払い出される賞球とを比較することにより、賞球系統の装置について発生する異常を検出することが出来る。
【００１３】
また、本発明は、上記構成において、賞球払出検知手段が賞球を賞球基板にも検知させることを特徴とする。
【００１４】
このような構成においては、賞球基板は、貸球払出命令に応じて第１の払出センサから入力される検知信号およびこの賞球検知信号に基づき、検知した遊技球が球貸指示によるものか賞球指示によるものかを区別することが出来る。
【発明の効果】
【００１５】
以上説明したように本発明によれば、主基板またはホールコンピュータは、賞球払出検知手段により検知される実際に払い出される賞球と賞球払出命令とを比較することにより、賞球系統の装置について発生する異常を検出することが出来る。また、ホールコンピュータは検知した賞球の管理を行えるようになる。また、賞球払出検知手段が賞球を賞球基板にも検知させることにより、賞球基板は、検知した遊技球が貸球指示によるものか、賞球指示によるものかを区別することが出来る。
【発明を実施するための最良の形態】
【００１６】
次に、本発明による遊技球払出機構をＣＲ式パチンコ機に適用した第１の実施形態について説明する。
【００１７】
図２は、本発明の第１の実施形態による遊技球払出機構を備えたＣＲ式パチンコ機２１の正面斜視図である。
【００１８】
パチンコ機２１にはカードユニット１が対になって設けられており、このカードユニット１の前面にはカード挿排口３１および球貸可能表示ランプ３２が設けられている。また、パチンコ機２１のフロントドア２３の内部には遊技盤２４が設けられており、その盤面には、入賞すると所定数の賞球を得られる一般入賞口３３，入賞すると可変表示ゲームが開始する始動口３４，可変表示ゲームの表示を行う可変表示装置３５，及びアタッカ３６等が設けられている。アタッカ３６は、可変表示ゲームにおいて特別遊技状態が発生すると開放して多数のパチンコ球を入賞させる変動入賞装置である。この遊技盤２４の下方には上皿２５及び下皿２６が設けられており、下皿２６の右方にはハンドル２７が設けられている。上皿２５には、球貸スイッチ２８、カード排出スイッチ２９及びカード残高表示器３０から成る球貸操作部が構成されている。
【００１９】
図３はパチンコ機２１の背面図である。
【００２０】
パチンコ機２１の背面上部に設けられた払出球タンク１６には図示しない樋から供給されたパチンコ球が貯留されている。後述する球貸指示信号ｌｅにより払出装置５が駆動されると、払出球タンク１６に貯留されているパチンコ球が払出球通路１２を介して払い出される。払出装置５には後述する払出センサ６が設けられており、この払出センサ６によって払出球通路１２を通じて払い出されるパチンコ球が検知される。払出装置５から払い出されたパチンコ球は、払出球通路１２から矢印Ａの方向へ進み上皿２５へ払い出される。また、後述する賞球指示信号ｐｒにより第２の払出装置７が駆動されると、払出球タンク１６に貯留されているパチンコ球が第２の払出球通路１３を介して払い出される。第２の払出装置７には後述する第２の払出センサ８が設けられており、この第２の払出センサ８によって第２の払出球通路１３を通じて払い出されるパチンコ球が検知される。第２の払出装置７から払い出されたパチンコ球も、払出球通路１３から矢印Ａの方向へ進み、上皿２５へ払い出される。上皿２５が満杯になると、パチンコ球は矢印Ｂの方向より下皿２６へ払い出されるようになる。なお、球抜装置１５は、樋や払出球通路１２，１３の清掃時などに、払出球タンク１６に貯留しているパチンコ球を球通路１４よりパチンコ島内部へ排出させる装置である。
【００２１】
図４は、パチンコ機２１に構成された遊技球払出機構の概略を示すブロック図である。なお、同図において図３と同一又は相当する部分には同一符号を付してその説明は省略する。
【００２２】
カードユニット１は、賞球基板２及びホールコンピュータ３へ接続されており、それぞれに対して球貸指示信号ｌｅ及び売り上げ情報信号Ｐを出力する。球貸指示信号ｌｅは、カードユニット１のカード挿排口３１にプリペイドカードが挿入され、球貸スイッチ２８が操作されて球貸要求を受けると、賞球基板２へ出力される。売り上げ情報信号Ｐは、遊技者の球貸スイッチ２８の操作によって指定された金額そのものを示す信号である。
【００２３】
賞球基板２は、カードユニット１の他に、主基板４，払出装置５，第２の払出装置７，払出センサ６，及び第２の払出センサ８に接続されている。賞球基板２は、カードユニット１より球貸指示信号ｌｅを入力すると、払出装置５を駆動させ、所定個数の貸球を払い出させる。また、賞球基板２は、主基板４より賞球指示信号ｐｒを入力すると、第２の払出装置７を駆動させ、所定個数の賞球を払い出させる。
【００２４】
主基板４は、賞球基板２の他に、払出センサ６，第２の払出センサ８及びホールコンピュータ３に接続されている。この主基板４は、賞球基板２へ賞球指示信号ｐｒを出力する際、賞球指示信号ｐｒの内容を示す指示内容伝達信号ｐＲをホールコンピュータ３へ出力する。また、払出装置５，第２の払出装置７より払い出されたパチンコ球は、それぞれ払出センサ６，第２の払出センサ８によって検知され、検知結果は貸球払出検知信号ｐａ１，賞球払出検知信号ｐａ２として賞球基板２および主基板４へ出力される。主基板４は、入力した貸球払出検知信号ｐａ１および賞球払出検知信号ｐａ２に基づき、実際に払い出された貸球数を示す貸出信号ｐｓ１および実際に払い出された賞球数を示す賞球信号ｐｓ２をホールコンピュータ３へ出力する。
【００２５】
本第１の実施形態では、第２の払出装置７及び第２の払出センサ８が賞球基板２を介する主基板４からの賞球指示信号ｐｒに応じて払い出される賞球を主基板４及びホールコンピュータ３に検知させる賞球払出検知手段を構成している。この賞球払出検知手段は賞球を賞球基板２にも検知させている。
【００２６】
このような構成において、遊技の開始に先立ち、カード挿排口３１にプリペイドカードが挿入され、球貸スイッチ２８が押圧されると、指定金額に応じた分のパチンコ球を払い出すようにカードユニット１から賞球基板２へ球貸指示信号ｌｅが出力される。球貸指示信号ｌｅを入力した賞球基板２は払出装置５を駆動し、払出装置５は払出球タンク１６内の遊技球を払出球通路１２を介して上皿２５へ払い出す。この際、払出センサ６は、払出球通路１２を通過する貸球を検知し、この貸球払出検知信号ｐａ１を賞球基板２及び主基板４へ出力する。賞球基板２は、この貸球払出検知信号ｐａ１により所定個数の貸球が払い出されたことを認識すると、払出装置５を停止させ、払出処理を完了する。
【００２７】
上皿２５に貸し出されたパチンコ球をハンドル２７を回して発射させれば、遊技盤２４の盤面内にパチンコ球が送り込まれて遊技が開始する。遊技盤２４の盤面内に送り込まれたパチンコ球は、盤面に植設された障害釘に弾かれながら流下する。この際、一般入賞口３３にパチンコ球が入賞すると、主基板４より賞球基板２へ所定個数の賞球を払い出すように賞球指示信号ｐｒが出力される。賞球指示信号ｐｒを入力した賞球基板２は第２の払出装置７を駆動し、第２の払出装置７は払出球タンク１６内の遊技球を第２の払出球通路１３を介して払い出す。この際、第２の払出センサ８は、第２の払出球通路１３を通過する賞球を検知し、この賞球払出検知信号ｐａ２を賞球基板２及び主基板４へ出力する。賞球基板２は、この賞球払出検知信号ｐａ２により所定個数の賞球が払い出されたことを認識すると、第２の払出装置７を停止させ、払出処理を完了する。
【００２８】
また、パチンコ球が始動口３４に入賞したときにも、同様な作用動作で、所定個数の賞球が払い出される。その後、遊技盤２４の中央に設けられた可変表示装置３５が回転を始め、可変表示ゲームが開始する。この可変表示は一定時間経過後に停止し、停止時の表示シンボルが所定のシンボル組み合わせに一致すると、遊技者にとって有利な特別遊技状態が発生する。この特別遊技状態では、アタッカ３６が長時間にわたって開放し、このアタッカ３６に多数のパチンコ球が入賞することによって遊技者は多数の賞球を獲得することが可能となる。この際の賞球の払い出しも、主基板４から賞球基板２へ出力される賞球指示信号ｐｒによって行われ、所定個数の賞球がアタッカ３６への入賞個数分だけ払い出される。
【００２９】
このように第１の実施形態による遊技球払出機構では、主基板４は賞球指示信号ｐｒに応じて実際に払い出される賞球を検知している。従って、主基板４は、自らが出力している賞球指示信号ｐｒと入力した賞球払出検知信号ｐａ２とを比較することによって、賞球の払い出しに関して生じる異常、例えば賞球指示以上の賞球数が払い出されているといった異常を検出できる。この際、主基板４が、賞球の払い出しに関して異常を認識した時点でランプを点灯させる手段等を備えれば、発生した異常を外部に知らせることができる。また、異常を認識した時点で第２の払出装置７を停止させるような手段を主基板４に備えれば、不適切な賞球の払い出しを防止できる。
【００３０】
また、ホールコンピュータ３は主基板４から賞球指示の内容を示す指示内容伝達信号ｐＲを入力しているため、ホールコンピュータ３においても賞球系統の装置について発生する異常を検出できる。つまり、ホールコンピュータ３でも、指示内容伝達信号ｐＲと賞球信号ｐｓ２とを比較することにより、賞球指示以上の賞球数が払い出されるといった異常を検出できる。また、ホールコンピュータ３は主基板４から入力した賞球信号ｐｓ２に基づき、賞球の管理が行えるようになる。また、ホールコンピュータ３に直接賞球払出検知信号ｐａ２を検知させるようにしても、ホールコンピュータ３は賞球の管理が行えるようになる。
【００３１】
また、払出センサ６，第２の払出センサ８から出力される貸球払出検知信号ｐａ１，賞球払出検知信号ｐａ２を主基板４を介さないで直接ホールコンピュータ３へ入力させて全ての信号をホールコンピュータ３において認識するような構成にすれば、ホール側で払い出し全般に関する管理が行える。
【００３２】
また、この第１の実施形態による遊技球払出機構では、賞球基板２は、払出装置５及び第２の払出装置７から払い出されたパチンコ球の検知を、それぞれ払出センサ６及び第２の払出センサ８によって別々に行っている。従って、賞球基板２は、球貸指示信号ｌｅに応じて払出センサ６より入力される貸球払出検知信号ｐａ１及び賞球指示信号ｐｒに応じて第２の払出センサ８より入力される賞球払出検知信号ｐａ２に基づき、検知したパチンコ球が球貸指示によるものか、賞球指示によるものかを区別することが出来る。このため、球貸系統の装置についての異常と、賞球系統の装置についての異常とを適確に区別して検出することが可能になる。
【００３３】
本第１の実施形態においては、図３に示したように、第１，第２の払出装置５，７を盤面に対して平行に平置きする構成としている。しかし、遊技盤２４は、前面に可変表示装置３５，背面に裏機構２４ａが設けられており、奥行き方向に寸法があって裏機構２４ａは背後に張り出している。従って、図３のように第１の払出装置５を裏機構２４ａの背後に設置することは難しい状況が考えられる。このような場合を考慮して、図１０（ａ），（ｂ）に示すように、平置きにしていた第１，第２の払出装置５，７をそれぞれ起こして縦置きにし、裏機構２４ａにかからない位置で互いを接近させて配置する構成としてもよい。なお、同図（ｂ）は同図（ａ）の払出装置５，７を矢示Ａ方向から視た一部破断側面図である。同図（ａ），（ｂ）において図３と同一部分または相当する部分には同一符号を付してその説明は省略する。
【００３４】
また、図１０に示す状態から、図１１に示すように払出装置５，７をパチンコ機２１の高さ方向にずらし、払出装置７の下方に払出装置５の一部を重ねて配置してもよい。なお、同図において図１０と同一または相当する部分には同一符号を付してその説明は省略する。このように配置することにより、各払出球通路１２，１３の間隔はより狭まり、払出装置５，７および払出球通路１２，１３がパチンコ機２１の背面に占める面積はより縮小する。
【００３５】
また、図１０に示す状態から、図１２（ａ），（ｂ）に示すように払出装置５，７をパチンコ機２１の奥行き方向にずらし、払出装置７の手前に払出装置５の一部を重ねて配置してもよい。なお、同図（ｂ）は同図（ａ）の払出装置５，７を矢示Ｂの方向から視た一部破断側面図である。同図（ａ），（ｂ）において図１０と同一または相当する部分には同一符号を付してその説明は省略する。このような配置によっても、各払出球通路１２，１３の間隔はより狭まり、払出装置５，７および払出球通路１２，１３がパチンコ機２１の背面に占める面積はより縮小する。
【００３６】
図１３は、図１２に示す状態から払出装置５が払出装置７の手前に完全に重なった状態を示している。なお、同図において図１２と同一または相当する部分には同一符号を付してその説明は省略する。このように配置することにより、払出装置５，７および払出球通路１２，１３は奥行き方向に完全に重なり、払出装置５，７および払出球通路１２，１３がパチンコ機２１の背面に占める面積はさらに縮小する。
【００３７】
このように払出装置５，７を配置することにより、遊技盤２４の背後のスペース状況に応じて球払出機構を構成することが出来ると共に、上記実施形態と同様な作用効果が奏される。
【００３８】
図５は、本発明の第２の実施形態による遊技球払出機構の概略構成を示すブロック図である。なお、同図において図４と同一又は相当する部分には同一符号を付し、その説明は省略する。
【００３９】
この第２の実施形態では、一の払出装置５より払い出されるパチンコ球が貸球と賞球とで払出球通路が振り分けられる。払出球通路の振り分けは、払出装置５の下方に設けられた払出通路切換装置１１によって行われ、貸球用の払出球通路１２または賞球用の払出球通路１３のいずれかに振り分けられる。払出通路切換装置１１は、例えばフラップ弁のような構造の装置であり、球貸指示信号ｌｅにより貸球の払い出しが行われるときには駆動されず、払出装置５より払い出されるパチンコ球を払出球通路１２へ導く位置にある。
【００４０】
一方、賞球指示信号ｐｒにより賞球の払い出しが行われるときに、賞球基板２より制御信号ｃｏが出力されて払出通路切換装置１１は駆動され、払出装置５から払い出されるパチンコ球を払出球通路１３へ導く位置に切り換えられる。振り分けられた貸球の検知及び賞球の検知は、それぞれの払出球通路１２及び１３において払出センサ６及び第２の払出センサ８によって行われる。ここで、払出通路切換装置１１と第２の払出センサ８とは、賞球基板２を介する主基板４からの賞球指示信号ｐｒに応じて払い出される賞球を主基板４及びホールコンピュータ３に検知させる賞球払出検知手段を構成している。
【００４１】
払出装置５は賞球基板２に接続されており、払出通路切換装置１１は賞球基板２に接続されている。払出球通路１２，１３に設けられた払出センサ６，第２の払出センサ８は、賞球基板２，主基板４にそれぞれ接続されている。本実施形態におけるパチンコ機２１の盤面構成やその他の構成は、上述した第１の実施形態と同様である。
【００４２】
このような構成において、賞球基板２は、カードユニット１からの球貸指示信号ｌｅを入力すると、払出装置５にパチンコ球を払い出させる。この時、払出通路切換装置１１は、払い出されるパチンコ球を払出球通路１２へ導く位置にある。また、賞球基板２は、主基板４からの賞球指示信号ｐｒを入力した場合にも、払出装置５にパチンコ球を払い出させる。この時、払出通路切換装置１１は、賞球基板２からの制御信号ｃｏによって駆動され、払出球通路１３へパチンコ球を導く位置に切り換えられる。主基板４は、賞球基板２へ賞球指示信号ｐｒ出力する際、賞球指示信号ｐｒの内容を示す指示内容伝達信号ｐＲをホールコンピュータ３へ同時に出力する。
【００４３】
払出球通路１２へ払い出される貸球は払出センサ６によって検知され、払出センサ６は貸球払出検知信号ｐａ１を賞球基板２及び主基板４へ出力する。賞球基板２は、入力した貸球払出検知信号ｐａ１により所定個数の貸球が払い出されたことを認識すると、払出装置５を停止させ、払い出し処理を完了する。主基板４は、入力した貸球払出検知信号ｐａ１により払い出された貸球数を認識し、貸球数を示す貸出信号ｐｓ１をホールコンピュータ３へ出力する。
【００４４】
また、払出球通路１３へ払い出される賞球は第２の払出センサ８によって検知される。第２の払出センサ８は、賞球払出検知信号ｐａ２を賞球基板２及び主基板４へ出力する。賞球基板２は、賞球払出検知信号ｐａ２により所定個数の賞球が払い出されたをされたことを認識すると、払出装置５を停止させ、払出処理を完了する。主基板４は、賞球払出検知信号ｐａ２により払い出された賞球数を認識し、賞球数を示す賞球信号ｐｓ２をホールコンピュータ３へ出力する。
【００４５】
このような第２の実施形態による遊技球払出機構においても、主基板４は、自らが出力している賞球指示信号ｐｒと入力した賞球払出検知信号ｐａ２とを比較することによって、賞球の払い出しに関して生じる異常を検出でき、第１の実施形態と同様な作用・効果が奏される。
【００４６】
また、本実施形態でも、ホールコンピュータ３は主基板４から賞球指示の内容を示す指示内容伝達信号ｐＲ及び賞球信号ｐｓ２を入力しているため、ホールコンピュータ３においても賞球系統の装置について発生する異常を検出できる。また、賞球信号ｐｓ２に基づき、または、ホールコンピュータ３に賞球払出検知信号ｐａ２を検知させると、ホールコンピュータ３は賞球の管理が行えるようになる。
【００４７】
また、払出センサ６，第２の払出センサ８から出力される貸球払出検知信号ｐａ１，賞球払出検知信号ｐａ２を、主基板４を介さないで直接ホールコンピュータ３へ入力させて全ての信号をホールコンピュータ３において認識するような構成にすれば、ホール側で払い出しに関する管理が直接行える。
【００４８】
また、この第２の実施形態による遊技球払出機構においても、賞球基板２は、払出球通路１２ならびに払出球通路１３のそれぞれの通路において払出センサ６ならびに第２の払出センサ８によって貸球ならびに賞球を検知している。従って、賞球基板２は、貸球払出検知信号ｐａ１及び賞球払出検知信号ｐａ２に基づき、検知したパチンコ球が球貸指示によるものか、賞球指示によるものかを区別することが出来、この点においても、第１の実施形態と同様な作用効果が奏される。
【００４９】
さらに、この第２の実施形態の構成では、必要な払出装置は払出装置５の１個であり、また払出通路切換装置１１として例えばフラップ弁のような簡単な構造の装置で十分機能するので、第１の実施形態の機構と比較して比較的安価に遊技球払出機構を構成できる。
【００５０】
図６は、本発明の第３の実施形態による遊技球払出機構の概略を示すブロック図である。なお、同図において図４と同一又は相当する部分には同一符号を付し、その説明は省略する。
【００５１】
本実施形態は、第１の実施形態における第２の払出センサ８の代わりに第３の払出センサ１７が、払出球通路１２および払出球通路１３が合流した払出球通路１８上に設けられている点が第１の実施形態と相違している。この第３の払出センサ１７は、賞球基板２および主基板４に接続されている。ここで、第２の払出装置７と第３の払出センサ１７とは、賞球基板２を介する主基板４からの賞球指示信号ｐｒに応じて払い出される賞球を主基板４及びホールコンピュータ３に検知させる賞球払出検知手段を構成している。
【００５２】
第３の払出センサ１７は、第２の払出装置７より払出球通路１２を介して払い出される貸球と払出装置５より払出球通路１３を介して払い出される賞球とのいずれをも検知し、これらの払出検知信号ｐａ３を賞球基板２及び主基板４へ出力する。賞球基板２および主基板４は、入力した払出検知信号ｐａ３と貸球払出検知信号ｐａ１との減算処理（ｐａ３の計数値−ｐａ１の計数値）を行って賞球で払い出したパチンコ球の球数を算出する算出手段を備えている。本実施形態におけるパチンコ機２１の盤面構成やその他の構成は、前述した第１の実施形態と同様である。
【００５３】
このような構成において、カードユニット１からの球貸指示信号ｌｅを入力した賞球基板２は、払出装置５に貸球を払出球通路１２を介して払い出させる。この際、払出センサ６ならびに払出センサ１７はそれぞれ、払出球通路１２ならびに払出球通路１８を通る貸球を検知し、貸球払出検知信号ｐａ１ならびに払出検知信号ｐａ３を賞球基板２及び主基板４へ出力する。賞球基板２は、貸球払出検知信号ｐａ１により所定個数の貸球が払い出されたことを認識すると、払出装置５を停止させ、払出処理を完了する。
【００５４】
また、入賞が発生すると、主基板４は賞球基板２へ賞球を払い出すように賞球指示信号ｐｒを出力すると共に、ホールコンピュータ３へ賞球指示信号ｐｒの内容を示す指示内容伝達信号ｐＲを出力する。賞球指示信号ｐｒを入力した賞球基板２は、第２の払出装置７に賞球を払出球通路１３を介して払い出させる。この際、第３の払出センサ１７は、払い出される賞球を検知し、払出検知信号ｐａ３を賞球基板２及び主基板４へ出力する。賞球基板２は払出検知信号ｐａ３と貸球払出検知信号ｐａ１との減算処理を行って払い出された賞球数を求め、所定個数の賞球が払い出されたことを認識すると、第２の払出装置７を停止させ、払出処理を完了する。
【００５５】
主基板４は、貸球払出検知信号ｐａ１により払い出された貸球数を認識し、貸球数を示す貸出信号ｐｓ１をホールコンピュータ３へ出力する。また、主基板４は、払出検知信号ｐａ３と貸球払出検知信号ｐａ１との減算処理を行い、払い出された賞球数を求め、求めた賞球数を賞球信号ｐｓ３としてホールコンピュータ３へ出力する。
【００５６】
このような第３の実施形態による遊技球払出機構においても、主基板４は、入力した払出検知信号ｐａ３と貸球払出検知信号ｐａ１とを減算処理して求めた賞球数と、自らが出力している賞球指示信号ｐｒとを比較することによって、賞球の払い出しに関して生じる異常を検出でき、第１の実施形態と同様な作用・効果が奏される。
【００５７】
また、本実施形態でも、ホールコンピュータ３は主基板４から賞球指示の内容を示す指示内容伝達信号ｐＲ及び賞球信号ｐｓ３を入力しているため、ホールコンピュータ３においても賞球系統の装置について発生する異常を検出できる。また、賞球信号ｐｓ３に基づき、または、ホールコンピュータ３に払出検知信号ｐａ３と貸球払出検知信号ｐａ１とを検知させ、これらの減算処理を行わせると、ホールコンピュータ３は賞球の管理が行えるようになる。
【００５８】
また、払出センサ６，第３の払出センサ１７から出力される貸球払出検知信号ｐａ１，払出検知信号ｐａ３を、主基板４を介さないで直接ホールコンピュータ３へ入力させて全ての信号をホールコンピュータ３において認識するような構成にすれば、ホール側で払い出しに関する管理が直接行える。
【００５９】
また、この第３の実施形態による遊技球払出機構においても、賞球基板２は、払出センサ６ならびに第３の払出センサ１７によって貸球および賞球を検知している。従って、賞球基板２は、貸球払出検知信号ｐａ１及び払出検知信号ｐａ３に基づき、検知したパチンコ球が球貸指示によるものか、賞球指示によるものかを区別することが出来、この点においても、第１の実施形態と同様な作用・効果が奏される。
【００６０】
また、この第３の実施形態においても、第１の実施形態と同様に、第１，第２の払出装置５，７を図１０，図１１，図１２または図１３に示すように配置することで、遊技盤２４の背後のスペースに応じて第１，第２の払出装置５，７を無理なく設けることが出来る。
【００６１】
図７は、本発明の第４の実施形態による遊技球払出機構の概略を示すブロック図である。なお、同図において図４と同一又は相当する部分には同一符号を付し、その説明は省略する。
【００６２】
本実施形態は、備えられた払出装置５及び払出センサ９がそれぞれ１個である点が第１の実施形態と相違している。払出センサ９は、賞球基板２、主基板４及び論理積回路１０に接続されており、払出装置５より払い出される貸球及び賞球のいずれをも検知し、払出検知信号ｐａを出力する。賞球基板２は、貸球払出命令を払出装置５に与えている間、貸出中信号ｌｇを論理積回路１０へ出力する。論理積回路１０は、この貸出中信号ｌｇ及び払出検知信号ｐａを入力し、これらの信号の論理積を賞球基板２及び主基板４へ出力する。また、賞球基板２および主基板４は、払出検知信号ｐａと論理積とから得られる２つの計数値を減算する算出手段を備えている。論理積回路１０およびこの算出手段は、賞球基板２を介する主基板４からの賞球指示信号ｐｒに応じて払い出される賞球を主基板４及びホールコンピュータ３に検知させる賞球払出検知手段を構成している。
【００６３】
図８はこの第４の実施形態による遊技球払出機構を備えたパチンコ機２１の背面図である。パチンコ球の払い出しを行う払出装置５、払出球通路１２および図示しない払出センサ９がいずれも１個で構成されている点が、図３に示すパチンコ機２１の背面構成と相違している。本実施形態におけるパチンコ機２１正面の盤面構成といったその他の構成は、前述した第１の実施形態と同様である。
【００６４】
このような構成において、球貸指示信号ｌｅを入力した賞球基板２は、貸出中信号ｌｇを貸出期間中連続して論理積回路１０へ出力すると共に、払出装置５に貸球を払い出させる。また、賞球基板２は、主基板４からの賞球指示信号ｐｒを入力して賞球の払い出しを行う際には、論理積回路１０への貸出中信号ｌｇの出力は行わず、払出装置５に賞球を払い出させる。払出センサ９は、貸球および賞球の区別なく、払出装置５より払い出されるパチンコ球全てを検知し、この検知信号として払出球数信号ｐａを賞球基板２、主基板４及び論理積回路１０へ出力する。論理積回路１０は、賞球基板２より入力した貸出中信号ｌｇと払出センサ９より入力した払出球数信号ｐａとの論理積を求める。この論理積は、貸出球数に相当する貸出球数信号ｌｃになる。このように算出された貸出球数信号ｌｃは賞球基板２および主基板４へ出力される。
【００６５】
賞球基板２および主基板４は、入力した払出球数信号ｐａの計数値と貸出球数信号ｌｃの計数値との減算処理（ｐａの計数値−ｌｃの計数値）を行い、払い出された賞球数を求める。賞球基板２は、貸出球数信号ｌｃにより所定個数の貸球が払い出されたことを認識すると、払出装置５を停止させて貸球払出処理を完了する。また、減算処理によって求めた賞球数により所定個数の賞球が払い出されたことを認識すると払出装置５を停止させ、賞球払出処理を完了する。主基板４は、貸出球数信号ｌｃにより払い出された貸球数を認識し、貸球数を示す貸出信号ｐｓ１をホールコンピュータ３へ出力する。また、主基板４は、減算処理によって求めた賞球数を示す賞球信号ｐｓ２をホールコンピュータ３へ出力する。また、主基板４は、賞球基板２へ賞球指示信号ｐｒを出力する際、ホールコンピュータ３へ賞球指示信号ｐｒの内容を示す指示内容伝達信号ｐＲを出力する。
【００６６】
このような第４の実施形態による遊技球払出機構においても、主基板４は、入力した払出検知信号ｐａと貸出球数信号ｌｃとを減算処理して求めた賞球数と、自らが出力している賞球指示信号ｐｒとを比較することによって、賞球の払い出しに関して生じる異常を検出でき、第１の実施形態と同様な作用・効果が奏される。
【００６７】
また、本実施形態でも、ホールコンピュータ３は主基板４から賞球指示の内容を示す指示内容伝達信号ｐＲ及び賞球信号ｐｓ２を入力しているため、ホールコンピュータ３においても賞球系統の装置について発生する異常を検出できる。また、賞球信号ｐｓ２に基づき、または、ホールコンピュータ３に払出検知信号ｐａと貸出球数信号ｌｃとを検知させ、これらの減算処理を行わせると、ホールコンピュータ３は賞球の管理が行えるようになる。
【００６８】
また、払出センサ９から出力される払出検知信号ｐａと論理積回路１０から出力される貸出球数信号ｌｃとを、主基板４を介さないで直接ホールコンピュータ３へ入力させて全ての信号をホールコンピュータ３において認識するような構成にすれば、ホール側で払い出しに関する管理が直接行える。
【００６９】
また、この第４の実施形態による遊技球払出機構においても、賞球基板２は、払出検知信号ｐａ及び貸出球数信号ｌｃに基づき、検知したパチンコ球が球貸指示によるものか、賞球指示によるものかを区別することが出来、この点においても、第１の実施形態と同様な作用・効果が奏される。
【００７０】
さらに、この第４の実施形態の構成では、必要な払出装置は単一であり、また払出センサも単一である。このため、第１の実施形態の機構と比較して比較的安価に遊技球払出機構を構成できる。
【００７１】
また、本発明による遊技球払出機構の信号通信系統の構成は、上記第１〜第４の実施形態に示した構成に限定されるものではなく、様々なパターンが考えられる。例えば、図９のブロック図に示すように第２の実施形態における信号通信系統の構成を変形させてもよい。なお、同図において図５と同一部分には同一符号を付してその説明は省略する。同図に示す構成は、払出センサ６，賞球基板２，主基板４およびホールコンピュータ３間の信号通信系統の構成が前述した第２の実施形態と異なり、その他の構成は第２の実施形態と同じである。
【００７２】
つまり、払出センサ６より出力される貸球払出検知信号ｐａ１は、主基板４へは入力されず、賞球基板２のみに入力される。また、主基板４からホールコンピュータ３へは信号が出力されず、賞球基板２からホールコンピュータ３へ賞球払出完了信号Ｆが出力される。主基板４からは賞球基板２へ賞球指示信号ｐｒおよび賞球払出完了信号Ｆの送信命令ｐｆが出力される。
【００７３】
このような構成においても、賞球基板２は、カードユニット１からの球貸指示信号ｌｅを入力すると、払出装置５にパチンコ球を払い出させる。払出通路切換装置１１によって払出球通路１２へ払い出される貸球は払出センサ６によって検知され、払出センサ６は貸球払出検知信号ｐａ１を賞球基板２だけへ出力する。賞球基板２は、入力した貸球払出検知信号ｐａ１により所定個数の貸球が払い出されたことを認識すると、払出装置５を停止させ、払い出し処理を完了する。この際、主基板４は、払い出された貸球数を認識することが出来ない。
【００７４】
また、賞球基板２は、主基板４からの賞球指示信号ｐｒを入力した場合にも、払出装置５にパチンコ球を払い出させる。この時、払出通路切換装置１１は、払出球通路１３へパチンコ球を導く位置に切り換えられる。第２の払出センサ８は賞球の払い出しを検知すると、賞球基板２および主基板４へ賞球払出検知信号ｐａ２を出力する。賞球基板２は、賞球払出検知信号ｐａ２により所定個数の賞球が払い出されたことを認識すると、払出装置５を停止させ、払い出し処理を完了する。主基板４は、賞球指示信号ｐｒに応じる払い出しが完了したことを賞球払出検知信号ｐａ２により認識すると、賞球基板２へ送信命令ｐｆを出力する。この命令を受けた賞球基板２は、何個の賞球が払い出されたかを伝える賞球払出完了信号Ｆをホールコンピュータ３へ出力する。
【００７５】
このような構成の信号通信系統においても、主基板４は、自らが出力している賞球指示信号ｐｒと入力した賞球払出検知信号ｐａ２とを比較することによって、賞球の払い出しに関して生じる異常を検出できる。
【００７６】
また、本構成では賞球払出完了信号Ｆに基づき、ホールコンピュータ３は賞球の管理が行える。また、カードユニット１からの売上情報Ｐを換算して得た貸球数から、賞球払出完了信号Ｆが示す賞球数を減算することでホールコンピュータ３において差球数を認識することが出来る。
【００７７】
また、本構成においても、賞球基板２は、払出球通路１２ならびに払出球通路１３のそれぞれの通路において払出センサ６ならびに第２の払出センサ８によって貸球ならびに賞球を検知している。従って、賞球基板２は、貸球払出検知信号ｐａ１および賞球払出検知信号ｐａ２に基づき、検知したパチンコ球が球貸指示によるものか、賞球指示によるものかを区別することが出来る。
【００７８】
また、このような信号通信系統の構成は、ここで説明した第２の実施形態に限らず、前述した第１の実施形態、第３の実施形態および第４の実施形態にも適用可能であり、同様な効果が得られる。
【図面の簡単な説明】
【００７９】
【図１】従来の遊技球払出機構の概略を示すブロック図である。
【図２】本発明の第１の実施形態による遊技球払出機構を備えたＣＲ式パチンコ機の正面斜視図である。
【図３】第１の実施形態による遊技球払出機構を備えたＣＲ式パチンコ機の背面図である。
【図４】第１の実施形態による遊技球払出機構の概略を示すブロック図である。
【図５】本発明の第２の実施形態による遊技球払出機構の概略を示すブロック図である。
【図６】本発明の第３の実施形態による遊技球払出機構の概略を示すブロック図である。
【図７】本発明の第４の実施形態による遊技球払出機構の概略を示すブロック図である。
【図８】第４の実施形態による遊技球払出機構を備えたＣＲ式パチンコ機の背面図である。
【図９】本発明の第２の実施形態による遊技球払出機構の変形例の概略を示すブロック図である。
【図１０】（ａ）は本発明の第１の実施形態による遊技球払出機構を備えたＣＲ式パチンコ機における払出装置の配置の第１の変形例を示す背面図であり、（ｂ）はその矢視Ａ方向一部破断側面図である。
【図１１】本発明の第１の実施形態による遊技球払出機構を備えたＣＲ式パチンコ機における払出装置の配置の第２の変形例を示す背面図である。
【図１２】（ａ）は本発明の第１の実施形態による遊技球払出機構を備えたＣＲ式パチンコ機における払出装置の配置の第３の変形例を示す背面図であり、（ｂ）はその矢視Ｂ方向一部破断側面図である。
【図１３】本発明の第１の実施形態による遊技球払出機構を備えたＣＲ式パチンコ機における払出装置の配置の第４の変形例を示す背面図である。
【符号の説明】
【００８０】
１…カードユニット
２…賞球基板
３…ホールコンピュータ
４…主基板
５…払出装置
７…第２の払出装置
６、９…払出センサ
８…第２の払出センサ
１７…第３の払出センサ
１０…論理積回路
１１…払出通路切換装置
１２、１８…払出球通路
１３…第２の払出球通路
【図１】
2006122720.tif 000003
【図２】
2006122720.tif 000004
【図３】
2006122720.tif 000005
【図４】
2006122720.tif 000006
【図５】
2006122720.tif 000007
【図６】
2006122720.tif 000008
【図７】
2006122720.tif 000009
【図８】
2006122720.tif 000010
【図９】
2006122720.tif 000011
【図１０】
2006122720.tif 000012
【図１１】
2006122720.tif 000013
【図１２】
2006122720.tif 000014
【図１３】
2006122720.tif 000015